(57)【要約】      （修正有）【課題】紙おむつの利用者にごわつき感や不快感を与えることなく、当該利用者が転倒した際に受ける衝撃を緩和する着脱容易な衝撃吸収パッドを低コストで提供する。【解決手段】衝撃吸収パッドＶは、外部からの衝撃を緩和する略板状になされた本体部Ｖ１と、本体部Ｖ１の一方面に設けられた面ファスナ２０とを備えている。また、衝撃吸収パッドＶは、面ファスナ２０により、利用者が装着した紙おむつに着脱自在に取り付けることができるようになっている。【選択図】図１
0003160640.tif 000002
【実用新案登録請求の範囲】
【請求項１】
衝撃を緩和する衝撃吸収パッドであって、
一方面に面ファスナが設けられており、
前記面ファスナにより、紙おむつに着脱自在に装着できるようになされていることを特徴とする衝撃吸収パッド。
【請求項２】
衝撃を緩和する衝撃吸収パッドを出し入れ自在に収納可能な袋体と、
前記袋体の一方面に取り付けられた面ファスナとを備え、
前記衝撃吸収パッドを収納した袋体は、前記面ファスナにより、紙おむつに着脱自在に装着できるようになされていることを特徴とするパッドカバー。
【請求項３】
前記袋体は、通気性を有する材料で形成されていることを特徴とする請求項２に記載のパッドカバー。
【考案の詳細な説明】
【技術分野】
【０００１】
本考案は、転倒した際の衝撃を緩和する衝撃吸収パッド及び衝撃吸収パッドを収納するパッドカバーに関し、例えば、紙おむつに着脱自在に装着できる衝撃吸収パッド及び紙おむつに着脱自在に衝撃吸収パッドを装着するためのパッドカバーに関する。
【背景技術】
【０００２】
従来から、高齢者や骨粗鬆症患者における転倒時の股関節、特に大腿骨頚部骨折のリスクを軽減するために、衝撃吸収部と布製の下着（パンツ）とを一体化した下着型ヒッププロテクタが利用されている。
また、上記の下着型ヒッププロテクタを利用する高齢者のなかには、パンツ型紙おむつを常時利用している者が多くおり、これらの高齢者は、パンツ型紙おむつと、下着型ヒッププロテクタとを二重装着していた。
【０００３】
しかし、パンツ型紙おむつと、下着型ヒッププロテクタとを二重装着すると、トイレのたびに、パンツ型紙おむつ及び下着型ヒッププロテクタの両者を上げ下げしなければならず面倒であった。特に、介護者が被介護者に、パンツ型紙おむつと下着型ヒッププロテクタとを二重装着する場合、介護者に大きな負担となっていた。
また、パンツ型紙おむつと、下着型ヒッププロテクタとを二重装着すると、ごわつき感が増し、高齢者に不快感を与えると共に、行動の自由度を低下させていた。
【０００４】
そして、上記の二重装着の問題を解消する技術として、特許文献１に、ヒッププロテクタ機能付き大人用紙パンツが開示されている。
ここで、図８を用いて、特許文献１に記載されたヒッププロテクタ機能付き大人用紙おむつの構成を説明する。
【０００５】
図示するように、ヒッププロテクタ機能付き大人用紙おむつ（パンツ）１００は、当該大人用紙おむつ１００を身につけた利用者の両大腿骨大転子部に位置する衝撃吸収剤からなる衝撃吸収パッド１０２を有し、さらに、利用者の肌に接する内面部には股間から肛門部にかけて吸水剤１０３が内包されている。
すなわち、大人用紙おむつ１００は、紙おむつに衝撃吸収パッドを一体化させた構成を採用しているため、上記のような二重装着の問題が生じることがない。また、大人用紙おむつ１００は、利用者の大腿骨大転子部に衝撃吸収パッド１０２が配置されているため、転倒したときの股関節への外力・衝撃を吸収軽減させることができる。
【先行技術文献】
【特許文献】
【０００６】
【特許文献１】実用新案登録第３０８１１５９号公報
【考案の概要】
【考案が解決しようとする課題】
【０００７】
しかしながら、上述した従来技術のヒッププロテクタ機能付き大人用紙おむつ（図８参照）は、使い捨ての紙おむつに衝撃吸収パッドを一体化させた構成を採用しているため、ヒッププロテクタ機能が無い一般的な紙おむつに比べて高額になるという技術的課題を有している。
そのため、ヒッププロテクタ機能付き大人用紙おむつは、利用者に大きな経済的負担をかけていた。
【０００８】
本考案は、上記技術的課題を解決するためになされたものであり、本考案の目的は、紙おむつの利用者にごわつき感や不快感を与えることなく、当該利用者が転倒した際に受ける衝撃を緩和する着脱容易な衝撃吸収パッド及び衝撃吸収パッド用のパッドカバーを低コストで提供することにある。
【課題を解決するための手段】
【０００９】
上記課題を解決するためになされた本考案は、衝撃を緩和する衝撃吸収パッドであって、一方面に面ファスナが設けられており、前記面ファスナにより、紙おむつに着脱自在に装着できるようになされていることを特徴としている。
【００１０】
このように、本考案の衝撃吸収パッドは、面ファスナで紙おむつに取り付けられる構成を採用しているため、上述した従来技術の「パンツ型紙おむつと、下着型ヒッププロテクタとを二重装着する場合」のように装着に手間がかかることがなく、利用者（或いは介護者）の労力が軽減される。
また、本考案の衝撃吸収パッドによれば、上述した「パンツ型紙おむつと、下着型ヒッププロテクタとを二重装着」する場合のように重ね着状態にならないため、紙おむつの利用者に「ごわつき感や不快感」を与えることなく、転倒した際の利用者が受ける衝撃（股関節や大腿骨頚部等への衝撃）を緩和することができる。その結果、紙おむつの利用者の骨折リスク（例えば、大腿骨頚部の骨折リスク）を軽減することができる。
【００１１】
また、本考案の衝撃吸収パッドによれば、使用後の紙おむつから衝撃吸収パッドを取り外し、その後、交換した新しい紙おむつに、当該衝撃吸収パッドを装着することができる。
すなわち、本考案によれば、衝撃吸収パッドを繰り返して利用することができるため、上述した従来技術のヒッププロテクタ機能付き大人用紙おむつと比べ、利用者の経済的負担を軽減することができる。また、衝撃吸収パッドを繰り返して利用できるため、資源の有効活用を図ることができる。
また、本考案のパッドカバーを用いることにより、紙おむつの任意の位置に、衝撃吸収パッドを取り付けることができるため、利用者の事情に応じて必要な部分を保護することができる。
【００１２】
また、上記課題を解決するためになされた本考案は、衝撃吸収パッドを収納するパッドカバーであって、衝撃を緩和する衝撃吸収パッドを出し入れ自在に収納可能な袋体と、前記袋体の一方面に取り付けられた面ファスナとを備え、前記衝撃吸収パッドを収納した袋体は、前記面ファスナにより、紙おむつに着脱自在に装着できるようになされていることを特徴としている。
【００１３】
このように本考案のパッドカバーを用いることにより、紙おむつに衝撃吸収パッドを簡単に取り付けることができ、上述した従来技術の「パンツ型紙おむつと、下着型ヒッププロテクタとを二重装着する場合」と比べ、利用者（或いは介護者）の手間が軽減される。
また、本考案のパッドカバーを用いることにより、上述したような重ね着状態にならないため、紙おむつの利用者に「ごわつき感や不快感」を与えることなく、転倒した際の利用者が受ける衝撃（股関節や大腿骨頚部等への衝撃）を緩和することができる。
また、本考案の構成によれば、使用後の紙おむつから衝撃吸収パッドを収納したパッドカバーを取り外し、その後、交換した新しい紙おむつに、当該パッドカバーを装着することができる。
すなわち、本考案によれば、衝撃吸収パッドを繰り返して利用することができるため、上述した従来技術のヒッププロテクタ機能付き大人用紙おむつと比べ、利用者の経済的負担を軽減することができる。
【００１４】
また、本考案のパッドカバーの構成により、衝撃吸収パッドを収納した状態で利用できるため、衝撃吸収パッドの汚れを防止できる。特に、衝撃吸収パッドが洗濯できないものである場合、本考案のパッドカバーにより、衝撃吸収パッドは、汚れが防止されるため長期の使用が可能になる（その結果、利用者の経済的負担が軽減される）。
【００１５】
また、前記袋体は、通気性を有する材料で形成されていることが望ましい。
上記構成により、パッドカバーを取り付けても紙おむつの通気性を確保することができ、紙おむつの利用者のムレの発生が防止される。
【考案の効果】
【００１６】
本考案によれば、紙おむつの利用者にごわつき感や不快感を与えることなく、当該利用者が転倒した際に受ける衝撃を緩和する着脱容易な衝撃吸収パッド及び衝撃吸収パッド用のパッドカバーを低コストで提供することができる。
【図面の簡単な説明】
【００１７】
【図１】本考案の第１実施形態の衝撃吸収パッドの構成を示した模式図である。
【図２】本考案の第１実施形態の衝撃吸収パッドを紙おむつに取り付ける手順を説明するための模式図である。
【図３】本考案の第２実施形態のパッドカバー及び該パッドカバーに収納される衝撃吸収パッドの斜視図である。
【図４】本考案の第２実施形態のパッドカバーに衝撃吸収パッドが収納された状態を示した模式図である。
【図５】図４のＡ−Ａ断面を示した模式図である。
【図６】本考案の第２実施形態のパッドカバーを紙おむつに取り付ける手順を説明するための模式図である。
【図７】本考案の第２実施形態のパッドカバーの変形例を示した模式図である。
【図８】従来技術のヒッププロテクタ機能付き大人用紙おむつの構成を示した模式図である。
【考案を実施するための形態】
【００１８】
以下、本考案の実施形態について図面に基づいて説明する。
先ず、本考案の第１実施形態の衝撃吸収パッドについて図１及び図２に基づいて説明する。
なお、図１は、本考案の第１実施形態の衝撃吸収パッドの構成を示した模式図である。また、図２は、本考案の第１実施形態の衝撃吸収パッドを紙おむつに取り付ける手順を説明するための模式図であり、図２（ａ）は、紙おむつに取り付けられる前の衝撃吸収パッドの状態を示した模式図であり、図２（ｂ）は、紙おむつに、衝撃吸収パッドを取り付けた状態を示した模式図である。
【００１９】
図１に示すように、第１実施形態の衝撃吸収パッドＶは、外部からの衝撃を緩和する略板状になされた本体部Ｖ１と、本体部Ｖ１の一方面に設けられた面ファスナ（マジックテープ（登録商標）などの面ファスナ）２０とを備えている。
なお、面ファスナ２０は、本体部Ｖ１の一方面に取り付けられていればよく、その形状や数量は適宜設計される。
そして、図２に示すように、衝撃吸収パッドＶは、面ファスナ２０により、利用者が装着した紙おむつ３０に着脱自在に取り付けることができるようになっている。
【００２０】
また、本体部Ｖ１は、外部からの衝撃を緩和できるものであればよく、その具体的な構成について特に限定されるものではない。
例えば、本体部Ｖ１には、図示するように、複数の衝撃吸収体３と、当該複数の衝撃吸収体３を収納した布製のカバー部材４とを備え、外部からの衝撃を緩和できるようになされているものを用いることができる（例えば、本体部Ｖ１に、「特許第３８８４４７１号公報」に開示された公知の構成の保護パッドを用いることができる）。
【００２１】
次に、第１実施形態の衝撃吸収パッドＶの利用方法を説明する。
なお、以下では、２つの衝撃吸収パッドＶを準備し、紙おむつ３０を装着した利用者の左右の大腿骨頚部の位置に、それぞれ、衝撃吸収パッドＶを取り付ける場合を説明するが、あくまでもこれは一例である。
例えば、紙おむつ３０を装着した利用者の臀部の位置に、衝撃吸収パッドＶを取り付けることもできる。
【００２２】
具体的には、図２（ａ）に示すように、衝撃吸収パッドＶの一方面の面ファスナ２０を、利用者が装着した紙おむつ３０に向けて（相対向させて）、当該紙おむつ３０に面ファスナ２０を当接して貼り付ける。
これにより、図２（ｂ）に示すように、紙おむつ３０を装着した利用者の左右の大腿骨頚部の位置に、衝撃吸収パッドＶが取り付けられる。
また、図２（ｂ）に示す衝撃吸収パッドＶが取り付けられた紙おむつ３０を交換する場合、衝撃吸収パッドＶを外側に引っ張ることで、紙おむつ３０から衝撃吸収パッドＶを簡単に引き剥がすことができる。
なお、図２では、紙おむつ３０が「ボクサパンツ型紙おむつ」である場合を示している。
【００２３】
このように、第１実施形態の衝撃吸収パッドＶによれば、一般的な紙おむつ３０に、衝撃吸収パッドＶを取り付けることができるため、当該紙おむつ３０の利用者が転倒した際に受ける衝撃（例えば、股関節や大腿骨頚部等への衝撃）を緩和することができる。
また、本実施形態の衝撃吸収パッドＶの構成によれば、紙おむつ３０の任意の位置に、衝撃吸収パッドＶを取り付けることができるため、利用者の事情に応じて必要な部分を保護することができる。
【００２４】
また、第１実施形態の衝撃吸収パッドＶは、面ファスナ２０により紙おむつ３０に着脱自在に装着される構成を採用しているため、上述した従来技術の「パンツ型紙おむつと、下着型ヒッププロテクタとを二重装着」する場合のような手間がかかることがなく、利用者（或いは介護者）の労力が軽減される。
また、第１実施形態の衝撃吸収パッドＶによれば、上述した「パンツ型紙おむつと、下着型ヒッププロテクタとを二重装着」する場合のような重ね着状態にならないため、紙おむつ３０の利用者に「ごわつき感や不快感」を与えることがない。
【００２５】
また、第１実施形態によれば、使用後の紙おむつ３０から衝撃吸収パッドＶを取り外し、その後、交換した新しい紙おむつ３０に、当該衝撃吸収パッドＶを装着し利用することができる。
すなわち、第１実施形態によれば、衝撃吸収パッドＶを繰り返して利用することができるため、上述した従来技術のヒッププロテクタ機能付き大人用紙おむつ（図８参照）と比べ、利用者の経済的負担を軽減することができる。また、衝撃吸収パッドＶを繰り返して利用できるため、資源の有効活用を図ることができる。
【００２６】
次に、本考案の第２実施形態の衝撃吸収パッドを収納するパッドカバーについて図３乃至図６に基づいて説明する。
なお、図３は、本考案の第２実施形態のパッドカバー及び該パッドカバーに収納される衝撃吸収パッドの斜視図である。また、図４は、本考案の第２実施形態のパッドカバーに衝撃吸収パッドが収納された状態を示した模式図である。また、図５は、図４のＡ−Ａ断面を示した模式図である。
また、図６は、本考案の第２実施形態のパッドカバーを紙おむつに取り付ける手順を説明するための模式図であり、図６（ａ）は、紙おむつに取り付けられる前のパッドカバーの状態を示した模式図であり、図６（ｂ）は、紙おむつに、衝撃吸収パッドを収納したパッドカバーを取り付けた状態を示した模式図である。
【００２７】
先ず、第２実施形態のパッドカバーの全体構造を説明する。
図３及び図４に示すように、第２実施形態のパッドカバー１は、衝撃を緩和する衝撃吸収パッドＷを出し入れ自在に収納する偏平状の袋体１０と、袋体１０の一方面（裏面）に設けられた面ファスナ２０とを備えている。
なお、衝撃吸収パッドＷは、外部からの衝撃を緩和できるものであればどのようなものでもよいが、以下の説明では、上述した第１実施形態の衝撃吸収パッドＶの本体部Ｖ１と同じ構成のものを用いる。
そして、図６に示すように、衝撃吸収パッドＷを収納したパッドカバー１は、面ファスナ２０により、利用者が装着した紙おむつ３０に着脱自在に取り付けることができるようになされている。
【００２８】
次に、パッドカバー１の構造を詳細に説明する。
図３〜図５に示すように、袋体１０は、通気性を有するシート状の材料（例えば、ポリエステルメッシュ、布材等）を二つに折り畳み、その両側面を縫合して袋状になしたものであり、前面部１１及び該前面部１１に相対向する後面部１２を有する偏平状に形成されている。
また、袋体１０の上端側には、袋口１３（図３参照）が開口しており、当該袋口１３から衝撃吸収パッドＷを出し入れ自在に収納できるようになっている。
【００２９】
また、図５に示すように、袋体１０の後面部１２は、その一端を前面部１１側に折り返した折り返し部１２ａ（袋内部に折り返した折り返し部１２ａ）が形成されている。
そして、前記袋口１３（図３参照）から収納された衝撃吸収パッドＷの上端部を折り返し部１２ａに挿入することにより、袋体１０から衝撃吸収パッドＷが飛び出して脱落することが防止されるようになっている。
【００３０】
また、図３及び図４に示すように、袋体１０の裏面（後面部１２側）の左右両側縁には、それぞれ、袋体１０の上下方向（図１に示すＹ方向）に沿って、帯状の面ファスナ２０が取り付けられている。
この構成により、袋体１０は、面ファスナ２０を介して、紙おむつ３０に着脱自在に装着できるようになっている。
なお、面ファスナ２０は、袋体１０の裏面に取り付けられていればよく、その形状や数量は適宜設計される。
【００３１】
次に、第２実施形態のパッドカバー１の利用方法を説明する。
なお、以下では、２つのパッドカバー１を準備し、各パッドカバー１に、衝撃吸収パッドＷを収納し、紙おむつ３０を装着した利用者の左右の大腿骨頚部の位置に、それぞれ、当該パッドカバー１を取り付ける場合を説明するが、あくまでもこれは一例である。
【００３２】
具体的には、図３に示すように、先ず、パッドカバー１の袋口１３に、衝撃吸収パッドＷを挿入し、その袋内に衝撃吸収パッドＷを収納する。この場合、図５に示すように、袋体１０の折り返し部１２ａに、前記収納された衝撃吸収パッドＷの上端部を挿入する。
【００３３】
次に、図６（ａ）に示すように、衝撃吸収パッドＷを収納したパッドカバー１の面ファスナ２０を、利用者が装着した紙おむつ３０に向けて（相対向させて）、当該紙おむつ３０に面ファスナ２０を当接して貼り付ける。
これにより、図６（ｂ）に示すように、紙おむつ３０を装着した利用者の左右の大腿骨頚部の位置に、衝撃吸収パッドＷを収納したパッドカバー１が取り付けられる。
また、図６（ｂ）に示すパッドカバー１が取り付けられた紙おむつ３０を交換する場合、当該パッドカバー１を外側に引っ張ることで、紙おむつ３０からパッドカバー１を簡単に引き剥がすことができる。
【００３４】
このように、第２実施形態のパッドカバー１を用いることにより、一般的な紙おむつ３０に、衝撃吸収パッドＷを取り付けることができるため、上述した第１実施形態と同様、紙おむつ３０の利用者が転倒した際に受ける衝撃（例えば、股関節や大腿骨頚部等への衝撃）を緩和することができる。
また、第２実施形態のパッドカバー１を用いることにより、紙おむつ３０の任意の位置に、衝撃吸収パッドＷを取り付けることができるため、利用者の事情に応じて必要な部分を保護することができる。
【００３５】
また、第２実施形態のパッドカバー１は、面ファスナ２０により紙おむつ３０に着脱自在に装着される構成を採用している。
そのため、紙おむつ３０を交換する場合、使用後の紙おむつ３０から衝撃吸収パッドＷを収納したパッドカバー１を取り外し、その後、交換した新しい紙おむつ３０に、当該パッドカバー１を装着することができる。
すなわち、第２実施形態のパッドカバー１により、衝撃吸収パッドＷを繰り返して利用することが可能になるため、上述した従来技術のヒッププロテクタ機能付き大人用紙おむつと比べ、コストが低減される。
【００３６】
また、第２実施形態のパッドカバー１は、面ファスナ２０により、紙おむつ３０への着脱を行うように構成されているため、紙おむつ３０への衝撃吸収パッドＷの着脱作業を簡単に行うことができる。
そのため、第２実施形態のパッドガード１は、上述した従来技術の「パンツ型紙おむつと、下着型ヒッププロテクタとを二重装着」する場合と比べて、利用者（或いは介護者）の手間が軽減される。
また、第２実施形態のパッドカバー１を用いることにより、上述したような重ね着状態にならないため、紙おむつの利用者に「ごわつき感や不快感」を与えることがない。
【００３７】
また、第２実施形態によれば、衝撃吸収パッドＷは、パッドカバー１に収納された状態で利用されるため、衝撃吸収パッドＷ自体の汚れを防止できる。
なお、衝撃吸収パッドＷには、洗濯できないものがあるが、第２実施形態のパッドカバー１を用いることにより汚れが防止されるため、衝撃吸収パッドＷの長期使用が可能になり、利用者の経済的負担を軽減することができる。
【００３８】
以上、説明したように、第２実施形態のパッドカバー１を用いることにより、紙おむつの利用者に大きな経済的負担をかけることなく、当該利用者が転倒した際に受ける衝撃（股関節や大腿骨頚部等への衝撃）を緩和することができる。
なお、本考案は、上述した実施形態に限定されるものではなく、その要旨の範囲内において種々の変更が可能である。
【００３９】
例えば、図７に示すパッドカバー２のように、その下端側の外周部が、円弧形状に形成されていてもよい。
ここで、図７は、本考案の第２実施形態のパッドカバーの変形例を示した模式図である。なお、図７では、説明の便宜上、上述した第２実施形態と同様の構成及び相当する構成は、上述した実施形態と同じ符号を付している。
【００４０】
具体的には、本変形例のパッドカバー２は、その下端側の外周部１０ａが円弧形状に形成されていると共に、上述したパッドカバー１（図３参照）と比べて、左右両側の面ファスナ２０の取り付け領域が短くなっている（上端からの長さ寸法が短くなっている）。なお、パッドカバー２に取りつけられる面ファスナ２０は、上述した実施形態のパッドカバー１のものと比べ、長さ寸法が小さいものが用いられている。
上記のように構成したのは、股上寸法が短いブリーフ型の紙おむつ３１に、パッドカバー２を取り付ける場合を考慮したためである。
すなわち、上記構成により、ブリーフ型の紙おむつ３１を装着した利用者の大腿骨頚部の位置に、衝撃吸収パッドＷを収納したパッドカバー２を貼り付けた場合、パッドカバー２の左右の面ファスナ２０が紙おむつ３１からはみ出すことが防止される。
その結果、利用者の脚Ｌにパッドカバー２の面ファスナ２０が直接接触することがなくなり、利用者の肌にパッドカバー２が擦れることで生じる肌の痛みやかゆみの発生が防止される。
【符号の説明】
【００４１】
Ｖ    衝撃吸収パッド
Ｖ１    本外部（衝撃吸収パッド）
Ｗ    衝撃吸収パッド
３    衝撃吸収体（衝撃吸収パッド）
４    カバー部材（衝撃吸収パッド）
１、２    パッドカバー
１０    袋体（パッドカバー）
１０ａ  袋体の下端側の外周部（パッドカバー）
１１    前面部（袋体（パッドカバー））
１２    後面部（袋体（パッドカバー））
１２ａ  折り返し部（後面部（袋体（パッドカバー））
１３    袋口（袋体（パッドカバー））
２０    面ファスナ（パッドカバー）
３０    紙おむつ（ボクサパンツ型紙おむつ）
３１    紙おむつ（ブリーフ型紙おむつ）
【図１】
0003160640.tif 000003
【図２】
0003160640.tif 000004
【図３】
0003160640.tif 000005
【図４】
0003160640.tif 000006
【図５】
0003160640.tif 000007
【図６】
0003160640.tif 000008
【図７】
0003160640.tif 000009
【図８】
0003160640.tif 000010